(57)【要約】【課題】タッチパネルのような柔軟なボタン配置のレイアウトが変更可能で、触覚によるボタン位置の認識が可能な表示機能付入力ボタン部を有する電話機において、直感的に分かりやすい操作性、視認性を提供する。【解決手段】表示とボタンの両方の機能を備えた表示機能付入力ボタン部２を有する電話装置であって予め定められた特定の操作があった場合、特定の操作に対応した機能動作および当該機能に対応するボタン表示画像データを、指定された表示機能付入力ボタン２−Ａ、２−Ｂ、２−Ｃ、・・・２−Ｎに割付、任意の表示機能付入力ボタン部２の選択されたキーの表示及び機能を制御する。また、バックライト２１３は可変色の発光デバイスであって、可変させることで次に操作すべきボタンを提示でき、着信時には光が流れるように着信表示を制御することもできる。【選択図】図１
2009021913.tif 000002
【特許請求の範囲】
【請求項１】
複数の表示機能付入力ボタンを有するキー入力装置であって、
前記各表示機能付入力ボタンのボタン表示画像を制御するボタン表示画像制御手段と、前記ボタン表示画像の画像データを蓄積するボタン表示画像データ蓄積手段と、前記表示機能付入力ボタンが押下された時に当該入力ボタンに表示されているボタン表示画像データとリンクした機能動作が起動する機能動作起動手段を有し、
前記ボタン表示画像制御手段は、予め定められた特定の操作があった場合、前記特定の操作に対応した機能動作および当該機能に対応するボタン表示画像データを、指定された表示機能付入力ボタンに割付けることを特徴とする表示機能付入力ボタンを有するキー入力装置。
【請求項２】
複数の表示機能付入力ボタンを有する電話装置であって、
前記各表示機能付入力ボタンのボタン表示画像を制御するボタン表示画像制御手段と、前記ボタン表示画像の画像データを蓄積するボタン表示画像データ蓄積手段と、前記表示機能付入力ボタンが押下された時に当該入力ボタンに表示されているボタン表示画像データとリンクした機能動作が起動する機能動作起動手段を有し、
前記ボタン表示画像制御手段は、予め定められた特定の操作があった場合、前記特定の操作に対応した機能動作および当該機能に対応するボタン表示画像データを、指定された表示機能付入力ボタンに割付けることを特徴とする表示機能付入力ボタンを有する電話装置。
【請求項３】
請求項２に記載の電話装置であって、
前記ボタン表示画像データ蓄積手段は、前記表示機能付入力ボタンに表示すべきボタン表示画像データを各表示機能付入力ボタン毎に複数蓄積し、
前記ボタン表示画像制御手段は、特定のボタン操作または起動している機能動作に応じて、前記複数のボタン表示画像データから特定のボタン表示画像データを選択し、所定の表示機能付入力ボタンの表示画像データを前記選択したボタン表示画像データに切り替えて表示させることを特徴とする表示機能付入力ボタンを有する電話装置。
【請求項４】
請求項２または３に記載の電話装置であって、
前記表示機能付入力ボタンの表示部はバックライト付の表示デバイスで構成され、
前記ボタン表示画像制御手段は、特定のボタン操作または起動している機能動作に応じて、各表示機能付入力ボタンのバックライトの輝度およびまたは点滅周期を制御することを特徴とする表示機能付入力ボタンを有する電話装置。
【請求項５】
請求項４に記載の電話装置であって、
前記バックライトは可変色な発光デバイスで構成され、
前記ボタン表示画像制御手段は、特定のボタン操作または起動している機能動作に応じて、各表示機能付入力ボタンのバックライトの発光色を制御することを特徴とする表示機能付入力ボタンを有する電話装置。
【請求項６】
請求項２から５に記載の電話装置であって、
当該電話装置は、音声の入出力機能を有する電話端末と、前記電話端末の制御および内線または外線との通信制御を実行する制御装置とから構成され、
前記電話端末は、前記複数の表示機能付入力ボタンを具備し、
前記制御装置は、前記ボタン表示画像制御手段と、前記ボタン表示画像データ蓄積手段と、前記機能動作起動手段を具備することを特徴とする表示機能付入力ボタンを有する電話装置。
【発明の詳細な説明】
【技術分野】
【０００１】
本発明は、表示機能付入力ボタンを有するキー入力装置及び電話装置に関し、この入力ボタンの表示画像を制御して多様なボタン入力を可能とする技術に関する。
【背景技術】
【０００２】
表示部をボタン操作面の下に配置し、ボタン（キー）表示画像とボタン（キー）操作を連動し、操作ボタンのサイズや位置をカスタマイズする技術がある。（例えば、特許文献１）
【特許文献１】特開２００１−３０６２３３号公報
【発明の開示】
【発明が解決しようとする課題】
【０００３】
しかしながら、この方法では、表示部がボタンの下部にあるためボタンを押下した場合、ボタンの表面とボタン表示面が上下にずれているので違和感があり、また、押し間違えによる誤操作を起こす可能性があるという欠点がある。
【０００４】
本発明の課題は、ボタン表示と操作ボタンを個々に一体化し、ボタン表示面を操作ボタンの上部に配置することにより、違和感の無いカスタマイズ可能なボタン入力機能を有する電話装置を提供することにある。
【課題を解決するための手段】
【０００５】
本発明のキー入力装置及び電話装置は、複数の表示機能付入力ボタンを有し、前記各表示機能付入力ボタンのボタン表示画像を制御するボタン表示画像制御手段と、前記ボタン表示画像の画像データを蓄積するボタン表示画像データ蓄積手段と、前記表示機能付入力ボタンが押下された時に当該入力ボタンに表示されているボタン表示画像データとリンクした機能動作が起動する機能動作起動手段を有し、前記ボタン表示画像制御手段は、予め定められた特定の操作があった場合、前記特定の操作に対応した機能動作および当該機能に対応するボタン表示画像データを、指定された表示機能付入力ボタンに割付けることを特徴とする。
【発明の効果】
【０００６】
本発明によれば、ボタン表示と操作ボタンを個々に一体化し、ボタン表示面が操作ボタンの上部に配置でき、押下すべきボタンの押下部とボタン表示面がほぼ一致するので、ボタン操作時に違和感が無く、視認性にも優れた、表示機能付入力ボタンを有するキー入力装置及び電話装置を提供できる。
【０００７】
また、ボタン表示と操作ボタンを個々に一体化するので、ボタン表示用のバックライトを制御して次に操作すべきボタン候補を提示すること、あるいは、光が流れるような着信表示等を行うことも可能となる。
【発明を実施するための最良の形態】
【０００８】
以下、本発明の実施の形態を、図面を参照して説明する。
【実施例１】
【０００９】
図１は本発明の実施例１の電話装置本体１を含む電話装置のシステム構成図、図２はキー制御部３を含む電話装置本体１のブロック構成図、図３は表示機能付入力ボタンの構成図、図４は表示機能付入力ボタンの表示例、図５は表示及び機能の割付、表示切替の動作フロー図、図６は機能動作中におけるボタンの提示を示す動作フロー図である。
【００１０】
図１において、電話装置本体１は、表示機能付入力ボタン部２、キー制御部３、通話形成部５、全体制御部６、電話回線７からなり、ハンドセット４はケーブルにて電話装置本体１に接続されている。電話装置本体１とハンドセット４が電話装置を構成する。
【００１１】
表示機能付入力ボタン部２は、キー制御部３へ各キーボタンの押下の信号を送出する。また、全体制御部６から表示及び機能に関する信号を受け取ると、表示機能に関する信号の内容に応じて、表示する。キー制御部３は、各キーボタンの内容に応じてもしくは外線から電話回線７を介して受受け取った内容に応じて、表示データ及び機能データを表示機能付入力ボタン部２に送出する。通話形成部５は、電話回線７から通話路を形成しハンドセット４を通して通話を行う。また、電話装置本体１の全体の制御を全体制御部６で行う。
【００１２】
図２の電話装置本体１において、表示機能付入力ボタン部２は、表示機能付入力ボタン２−Ａ、２−Ｂ、２−Ｃ、・・・２−Ｎの複数ボタンからなり、ボタン毎に個々に分かれ機能する。キー制御部３は、表示及びバックライトの制御を行う表示画像制御手段３２と、表示画像データを蓄積するボタン表示画像データ蓄積手段３５と、機能の起動を行う機能動作起動手段３４と、ボタンの押下を検知するボタン検出手段３１と、着信を監視する着信監視手段３３と、ハンドセット４の取上を検知する取上検出手段３６と、機能動作起動手段３４と、機能データを蓄積する機能データ蓄積手段３７から構成される。
【００１３】
表示機能付入力ボタン部２は、表示画像制御手段３２により制御される。ボタン表示画像データ蓄積手段３５から当該ボタンの画像を制御し、表示画像制御手段３２に通知する。表示機能付入力ボタン２−Ａ、２−Ｂ、２−Ｃ、・・・２−Ｎに予め定められた操作からユーザが任意で一又は複数の表示機能付入力ボタン２−Ａ、２−Ｂ、２−Ｃ、・・・２−Ｎを指定し、表示及び機能の割付を行う。任意の表示機能付入力ボタン２−Ａ、２−Ｂ、２−Ｃ、・・・２−Ｎが押下された場合、当該のボタンをボタン検出手段３１にて検知し、当該ボタンに割付られている表示画像にリンクする機能を機能データ蓄積手段３７から検索し、機能動作起動手段３４で使用する。ボタン表示画像データ蓄積手段３５及び機能データ蓄積手段３７は互いにリンクしており、機能を動作させた場合、リンクしている表示と動作を同時に行う。
【００１４】
図３において、表示機能付入力ボタン２１は、表示を保護するガラス２１１と、表示を行うＬＣＤ２１２と、可変色可能な発光デバイスから構成されるバックライト２１３と、上記ＬＣＤ２１２とバックライト２１３とを制御するボタン内表示制御回路２１４から構成される。表示機能付入力ボタン２１の下部には、バネ及び接点端子及び基板と接点が配置されていて、押下を行うとバネが伸び縮みをし、接点端子が接点に触れることでボタンの押下を検知する。このときボタン内表示制御回路２４は、図２に示す表示画像制御手段３２から対応する表示画像データ及び機能データの検索をし、動作する。
【００１５】
上記の実施例では、ボタンの押下を行うとバネが伸び縮みをし、接点端子が接点に触れることでボタンの押下を検知する構成が採用されているが、バネと接点端子と接点によるボタンの押下の検知に代えて、感圧シートを用いて押下位置を検出するように構成することも可能である。
【００１６】
また、ガラス２１１の代替としてアクリル等であっても良く、ＬＣＤ２１２の代替としてＥＬ、ＦＥＤ、ＥＣＤ等であっても良く、バネ及び接点端子の代替としてスイッチアレイ等であっても良い。
【００１７】
表示機能付入力ボタン部２は、ボタン表示画像データ蓄積手段３５から表示画像制御手段３２を用いてバックライト２１３を制御する。このとき上下左右又は回転等で個々の表示機能付入力ボタン２−Ａ、２−Ｂ、２−Ｃ、・・・２−Ｎのバックライト２１３に点滅周期の制御を行うことで表示機能付入力ボタン部２にグラデーションを映し出すことができる。
【００１８】
着信があった場合、着信検出手段３３から着信を検知し、表示画像制御手段３２に通知し、発光デバイスからなるバックライト２１３の可変を行う。個々の表示機能付入力ボタン２−Ａ、２−Ｂ、２−Ｃ、・・・２−Ｎを色の可変や点滅制御を行うことで着信を知らせ、取上検出手段３６から取上を検知または着信が切断されるまでの間、発光を継続する。
【００１９】
表示機能付入力ボタン部２は、機能動作起動手段３４からある特定の機能が動作している場合、表示画像制御手段３２は、ボタン画像データ蓄積手段３５から次に提示するボタンを検索し、特定の表示機能付入力ボタン２−Ａ、２−Ｂ、２−Ｃ、・・・２−Ｎに提示する場所を色の可変や点滅で制御し、押下すべきボタンを提示する。
【００２０】
また、表示機能付入力ボタン部２は、卓上電話装置だけではなく携帯電話機にも適用が可能であり、キー入力装置一般に適用することが可能である。
【００２１】
図４の（Ａ）において、電話装置は、表示機能付入力ボタン部２を備えた電話装置本体１とハンドセット４から構成される。ボタン表示画像データ蓄積手段３５は、表示機能付入力ボタン部２に表示すべきボタン表示画像データを表示機能付入力ボタン２−Ａ、２−Ｂ、２−Ｃ、・・・２−Ｎ毎に複数蓄積し、機能動作起動手段３４から機能情報を表示画像制御手段３２に通知し、例えば電話を使用する場合、図４の（Ａ）のようにテンキーに切り替えて表示させる。また、メールであれば図４の（Ｂ）及び図４の（Ｃ）のようにひらがなやアルファベットのキー表示に切り替えて表示させる。
【００２２】
なお、上記の実施例では、テンキー、ひらがなやアルファベットのキー表示のきりかえの例を示しているが、表示機能付入力ボタン２−Ａ、２−Ｂ、２−Ｃ、・・・２−Ｎの表示機能は、テンキー、ひらがなやアルファベットの文字表示に限らず、任意の２次元画像を表示することができる。また、各表示機能付入力ボタンの表示画像を合成して、複数の表示機能付入力ボタンの画像の合成により大画面の表示を行うことができる。
【００２３】
次に、図５における、表示及び機能の割付、表示切替の動作フロー図について説明する。
電話装置本体１が待機中であって、ユーザが予め定められた所定の動作を行ったかを表示機能付入力ボタン部２で判断し（Ｓ５１）、動作を行っていない場合はステップＳ５５に移行する。
【００２４】
ステップＳ５１で予め定められた所定の動作を行った場合、ユーザが選択した任意の表示機能付入力ボタン２−Ａ、２−Ｂ、２−Ｃ、・・・２−Ｎに割付を行い（Ｓ５２）、ボタン表示画像データ蓄積手段３５と機能データ蓄積手段３７に割付内容を保存する（Ｓ５３）。
【００２５】
ステップＳ５４で継続して割付を行わない場合は、表示機能付入力ボタン部２に表示画像制御手段３２の制御を用いて、表示画像データ蓄積手段３５から割付内容を表示する（Ｓ５５）。
【００２６】
ステップＳ５６で、ユーザが任意の表示機能付入力ボタン２−Ａ、２−Ｂ、２−Ｃ、・・・２−Ｎを押下したかをボタン検出手段３１から判断し、押下を検知した場合は、機能動作手段３４に通知する（Ｓ５７）。すると機能データ蓄積手段３７から機能動作起動手段３４にて表示とリンクする機能を起動させ（Ｓ５８）、機能動作起動手段３４は表示画像制御３２に機能の動作を通知する（Ｓ５９）。押下を検知しなかった場合は、ステップＳ５１に移行する。
【００２７】
ステップＳ６０で、起動した機能は、表示の変更を表示画像制御手段３２に通知し、ボタン表示データ蓄積手段３５からリンクする機能の表示を選択し、表示機能付入力ボタン２−Ａ、２−Ｂ、２−Ｃ、・・・２−Ｎの表示を変更する。
【００２８】
図６における、機能動作中におけるボタンの提示を示す動作フロー図を説明する。
【００２９】
電話装置本体１がある特定の機能動作中であって、ある特定の表示機能付入力ボタン２−Ａ、２−Ｂ、２−Ｃ、・・・２−Ｎを押下したかを判断し（Ｓ６１）、押下がない場合はステップＳ６１に戻る。
【００３０】
ステップＳ６１で、特定の表示機能付入力ボタン２−Ａ、２−Ｂ、２−Ｃ、・・・２−Ｎを押下した場合、ボタン検出手段３１から押下を検知し、表示画像制御手段３２に通知する（Ｓ６２）。次に表示画像制御手段３２は該ボタンに続けて操作すべきボタンの検索を行う（Ｓ６３）。
【００３１】
ステップＳ６４で、表示画像手段３２は検索した表示機能付入力ボタン２−Ａ、２−Ｂ、２−Ｃ、・・・２−Ｎのバックライト２１３を色の可変や点滅でボタンをフラッシュし、ボタン強調処理行い次に押下すべきボタンの場所をユーザに提示する。また、特定の表示機能付入力ボタン２−Ａ、２−Ｂ、２−Ｃ、・・・２−Ｎは提示するボタンと一つ前の操作に戻る戻りのボタンと機能動作終了をする機能モード終了ボタンとを同時にボタン強調処理を行う。強調表示していないボタンを押下した場合、押下は無効となる。
【００３２】
ステップＳ６５で、検索及び提示した表示機能付入力ボタン２−Ａ、２−Ｂ、２−Ｃ、・・・２−Ｎが押下されたかをボタン検出手段３１から判断する。押下した場合、ボタン検出手段３１から表示画像制御手段３２に通知する（Ｓ６６）。押下していない場合、ステップＳ６１に戻る。
【００３３】
ステップＳ６７で、表示画像制御手段３２は、押下した表示機能付入力ボタン２−Ａ、２−Ｂ、２−Ｃ、・・・２−Ｎのバックライト２１３を制御し、色の可変や点滅を停止するように指示する。
【００３４】
ステップＳ６８で、次に提示するボタンがないかを表示画像制御手段３２を用いて判断し、提示がある場合はステップＳ６３に移行する。次の提示がなかった場合は、表示画像制御手段３２から機能の終了を判断する（Ｓ６９）。終了していない場合はステップＳ６１に戻る。
【００３５】
本実施の形態では、電話装置本体１が待機中の状態において予め定められた所定の動作を行った場合、任意の一又は複数の表示機能付入力ボタン２−Ａ、２−Ｂ、２−Ｃ、・・・２−Ｎにユーザが任意の表示及び機能を割付する。その後、任意の表示機能付入力ボタン２−Ａ、２−Ｂ、２−Ｃ、・・・２−Ｎの押下によって、表示されている画像にリンクしている機能を起動し動作を行う。また、個々に表示機能付入力ボタンを配置し、通常とは違った光の強弱や表示とボタンの一体化が行えるため、操作性及び視認性を向上させている。
【００３６】
表示機能付入力ボタン２−Ａ、２−Ｂ、２−Ｃ、・・・２−Ｎはバックライト２３を表示画像制御手段３２で個々に制御を行うことで次に操作すべきボタンを提示できる。また、着信時には光が流れるような着信表示の制御ができるため、通常の表示に捕らわれないフレッシュな表示が可能となる。
【図面の簡単な説明】
【００３７】
【図１】図１は、本発明に係る電話装置本体１を含む電話装置のシステム構成図である。
【図２】図２は、キー制御部３を含む電話装置本体１のブロック構成図である。
【図３】図３は、表示機能付入力ボタンの構成図である。
【図４】図４は、表示機能付入力ボタンの表示例である。
【図５】図５は、表示及び機能の割付、表示切替の動作フロー図である。
【図６】図６は、機能動作中におけるボタンの提示を示す動作フロー図である。
【符号の説明】
【００３８】
１    電話装置本体
２    表示機能付入力ボタン部
２１    表示機能付入力ボタン
２１１    ガラス
２１２    ＬＣＤ
２１３    バックライト
２１４    ボタン内表示制御回路
２−Ａ    表示機能付入力ボタン
２−Ｂ    表示機能付入力ボタン
２−Ｃ    表示機能付入力ボタン
２−Ｎ    表示機能付入力ボタン
３    キー制御部
３１    ボタン検出手段
３２    表示画像制御手段
３３    着信監視手段
３４    機能動作起動手段
３５    ボタン表示画像データ蓄積手段
３６    取上検出手段
３７    機能データ蓄積手段
４    ハンドセット
５    通話形成部
６    全体制御部
７    電話回線
【図１】
2009021913.tif 000003
【図２】
2009021913.tif 000004
【図３】
2009021913.tif 000005
【図４】
2009021913.tif 000006
【図５】
2009021913.tif 000007
【図６】
2009021913.tif 000008